【手続補正書】
【提出日】平成17年9月6日(2005.9.6)
【手続補正１】
【補正対象書類名】特許請求の範囲
【補正対象項目名】全文
【補正方法】変更
【補正の内容】
【特許請求の範囲】
【請求項１】
携帯電話機と接続する電話機用インターフェース部と、
インターネットプロトコル番号を記憶する記憶部と、
前記電話機用インターフェース部を介して接続された携帯電話機に対する制御を行うと共に、インターネットを介して発呼又は着呼を行う制御部と、
無線ＬＡＮに接続する無線ＬＡＮ装置又はパーソナルコンピュータと接続するパーソナルコンピュータ用インターフェース部とを備え、
前記制御部が、前記電話機用インターフェース部を介して携帯電話機に装着されると、前記携帯電話機から制御を移行して、前記携帯電話機の入力部からのデータが取り込み可能となり、前記無線ＬＡＮ装置又は前記パーソナルコンピュータ用インターフェース部を介して無線又は有線でインターネットに接続し、通話相手が特定されると、前記通話相手のインターネットプロトコル番号がインターネットに接続されているか確認を行い、前記通話相手のインターネットプロトコル番号がインターネットに接続されていると、当該インターネットプロトコル番号で発呼し、通話相手のインターネットプロトコル番号がインターネットに接続されていなければ、前記携帯電話機からの発呼を可能とする制御部であることを特徴とする携帯電話用アダプタ。
【請求項２】
記憶部が、入力されたインターネットプロトコル番号と氏名を対応付けて記憶する記憶部であり、
制御部が、通話相手のインターネットプロトコル番号がインターネットに接続していない場合に、装着された携帯電話機に、当該携帯電話機のアドレス帳から当該氏名に対応する携帯電話機の番号を検索し、当該携帯電話機の番号に発呼させるよう制御する制御部であることを特徴とする請求項１記載の携帯電話用アダプタ。
【請求項３】
制御部が、インターネットに接続した状態であっても、装着されている携帯電話機の番号への着呼があると、前記携帯電話機に制御を移行して、着信及び通話の機能を実行させ、通話が終了すると、処理を復帰する制御部であることを特徴とする請求項１又は請求項２記載の携帯電話用アダプタ。
【請求項４】
パーソナルコンピュータ用インターフェース部を介して有線でインターネットに接続する場合は、前記パーソナルコンピュータ用インターフェース部が、パーソナルコンピュータのＵＳＢポートにケーブルにて接続され、制御部が、当該パーソナルコンピュータが接続するインターネットにアクセスすることを特徴とする請求項１、請求項２又は請求項３記載の携帯電話用アダプタ。
【請求項５】
無線でパーソナルコンピュータに接続する無線ＬＡＮ装置を介して無線でパーソナルコンピュータに接続すると、制御部が、前記接続されたパーソナルコンピュータが接続するインターネットにアクセスすることを特徴とする請求項１、請求項２又は請求項３記載の携帯電話用アダプタ。
【請求項６】
制御部が、インターネットに接続しようとしたものの、インターネット接続ができない場合は、装着されている携帯電話機に制御を移行して、前記携帯電話機の着呼又は発呼の機能を実行させるよう制御する制御部であることを特徴とする請求項４又は請求項５記載の携帯電話用アダプタ。
【請求項７】
携帯電話機として動作する携帯コール／通話手段と、インターネットプロトコル電話として動作するインターネットプロトコルコール／通話手段とを備え、発呼又は着呼の制御を行う制御部と、
インターネットプロトコル番号を記憶する記憶部と、
無線ＬＡＮに接続する無線ＬＡＮ装置又はパーソナルコンピュータと接続するパーソナルコンピュータ用インターフェース部とを備え、
前記記憶部が、通信相手の携帯電話機の番号とインターネットプロトコル番号を記憶するアドレス帳を備えた記憶部であり、
前記制御部が、前記無線ＬＡＮ装置又は前記パーソナルコンピュータ用インターフェース部を介して無線又は有線でインターネットに接続された状態で、前記アドレス帳に記憶された通信相手の名前が選択されると、当該相手先のインターネットプロトコル番号がインターネットに接続されているか確認し、通話相手のインターネットプロトコル番号がインターネットに接続されていると、前記インターネットプロトコルコール／通話手段により当該インターネットプロトコル番号で発呼し、通話相手のインターネットプロトコル番号がインターネットに接続されていなければ、前記携帯コール／通話手段により携帯電話機の番号で発呼する制御部であることを特徴とする電話装置。
【請求項８】
制御部が、インターネットに接続した状態であっても、携帯電話機の番号への着呼があると、前記携帯コール／通話手段に制御を移行して、携帯電話機の着信及び通話の機能を実行させ、通話が終了すると、処理を復帰する制御部であることを特徴とする請求項７記載の電話装置。
【請求項９】
パーソナルコンピュータ用インターフェース部を介して有線でインターネットに接続する場合は、前記パーソナルコンピュータ用インターフェース部が、パーソナルコンピュータのＵＳＢポートにケーブルにて接続され、制御部が、当該パーソナルコンピュータが接続するインターネットにアクセスすることを特徴とする請求項７又は請求項８記載の電話装置。
【請求項１０】
無線でパーソナルコンピュータに接続する無線ＬＡＮ装置を介して無線でパーソナルコンピュータに接続すると、制御部が、前記パーソナルコンピュータが接続するインターネットにアクセスすることを特徴とする請求項７又は請求項８記載の電話装置。
【請求項１１】
制御部が、インターネットに接続しようとしたものの、インターネット接続ができない場合は、携帯コール／通話手段に制御を移行して、携帯電話機の着呼又は発呼の機能を実行することを特徴とする請求項９又は請求項１０記載の電話装置。
【手続補正２】
【補正対象書類名】明細書
【補正対象項目名】０００８
【補正方法】変更
【補正の内容】
【０００８】
本発明は、携帯電話機アダプタにおいて、携帯電話機と接続する電話機用インターフェース部と、インターネットプロトコル番号を記憶する記憶部と、電話機用インターフェース部を介して接続された携帯電話機に対する制御を行うと共に、インターネットを介して発呼又は着呼を行う制御部と、無線ＬＡＮに接続する無線ＬＡＮ装置又はパーソナルコンピュータと接続するパーソナルコンピュータ用インターフェース部とを備え、制御部が、電話機用インターフェース部を介して携帯電話機に装着されると、携帯電話機から制御を移行して、携帯電話機の入力部からのデータが取り込み可能となり、無線ＬＡＮ装置又はパーソナルコンピュータ用インターフェース部を介して無線又は有線でインターネットに接続し、通話相手が特定されると、通話相手のインターネットプロトコル番号がインターネットに接続されているか確認を行い、通話相手のインターネットプロトコル番号がインターネットに接続されていると、当該インターネットプロトコル番号で発呼し、通話相手のインターネットプロトコル番号がインターネットに接続されていなければ、携帯電話機からの発呼を可能とするものであり、携帯電話機とＩＰ電話の双方の利便性を確保できる。
【手続補正３】
【補正対象書類名】明細書
【補正対象項目名】０００９
【補正方法】変更
【補正の内容】
【０００９】
本発明は、電話装置において、携帯電話機として動作する携帯コール／通話手段と、インターネットプロトコル電話として動作するインターネットプロトコルコール／通話手段とを備え、発呼又は着呼の制御を行う制御部と、インターネットプロトコル番号を記憶する記憶部と、無線ＬＡＮに接続する無線ＬＡＮ装置又はパーソナルコンピュータと接続するパーソナルコンピュータ用インターフェース部とを備え、記憶部が、通信相手の携帯電話機の番号とインターネットプロトコル番号を記憶するアドレス帳を備えた記憶部であり、制御部が、無線ＬＡＮ装置又はパーソナルコンピュータ用インターフェース部を介して無線又は有線でインターネットに接続された状態で、アドレス帳に記憶された通信相手の名前が選択されると、当該相手先のインターネットプロトコル番号がインターネットに接続されているか確認し、通話相手のインターネットプロトコル番号がインターネットに接続されていると、インターネットプロトコルコール／通話手段により当該インターネットプロトコル番号で発呼し、通話相手のインターネットプロトコル番号がインターネットに接続されていなければ、携帯コール／通話手段により携帯電話機の番号で発呼するものであり、携帯電話機の機能とＩＰ電話の機能の双方について利便性を向上できる。
【手続補正４】
【補正対象書類名】明細書
【補正対象項目名】００１０
【補正方法】変更
【補正の内容】
【００１０】
本発明によれば、記憶部が、インターネットプロトコル番号を保有し、制御部が、電話機用インターフェース部を介して携帯電話機に装着されると、携帯電話機から制御を移行して、携帯電話機の入力部からのデータが取り込み可能となり、無線ＬＡＮ装置又はパーソナルコンピュータ用インターフェース部を介して有線又は無線にてインターネットに接続し、通話相手が特定されると、通話相手のインターネットプロトコル番号がインターネットに接続されているか確認を行い、通話相手のインターネットプロトコル番号がインターネットに接続されていると、当該インターネットプロトコル番号で発呼し、通話相手のインターネットプロトコル番号がインターネットに接続されていなければ、携帯電話機からの発呼を可能とする携帯電話機アダプタとしているので、携帯電話機とＩＰ電話の双方の利便性を確保できる効果がある。
【手続補正５】
【補正対象書類名】明細書
【補正対象項目名】００１１
【補正方法】変更
【補正の内容】
【００１１】
本発明によれば、記憶部が、通信相手の携帯電話機の番号とインターネットプロトコル番号を記憶するアドレス帳を備え、制御部が、無線ＬＡＮ装置又はパーソナルコンピュータ用インターフェース部を介して有線又は無線にてインターネットに接続した状態とし、通信相手の名前が選択されると、当該相手先のインターネットプロトコル番号がインターネットに接続されているか確認し、通話相手のインターネットプロトコル番号がインターネットに接続されていると、インターネットプロトコルコール／通話手段により当該インターネットプロトコル番号で発呼し、通話相手のインターネットプロトコル番号がインターネットに接続されていなければ、携帯コール／通話手段により携帯電話機の番号で発呼する電話装置としているので、携帯電話機の機能とＩＰ電話の機能の双方について利便性を向上できる効果がある。